(57)【要約】【課題】御盤における端子台でジャンパーを実施するために、バナナ端子用の端子固定具を端子台に取り付ける際に、マイナスドライバーが横滑りして近接端子と接触（短絡）するのを未然に防止できるようにした、バナナ端子固定具用ドライバーを提供する。【解決手段】本発明は、バナナ端子を差し込む凹部、該凹部の開口端縁部の対称位置に形成された一対の切り込み部それぞれを有してなる胴体と、該胴体の下端部に他の配線用端子を端子台に固定するためのネジ部とを形成してなるバナナ端子用の端子固定具を端子台の接点用ネジ穴にねじ込ませるためのバナナ端子固定具用ドライバーであって、該ドライバーの軸部先端に、前記切り込み部に嵌挿されて端子固定具を捻回させるための矩形板状の突片部と、前記凹部に挿入されるよう突片部の中央に突設された滑り止め用の挿入ガイド部を備えている。【選択図】図２
2008300186.tif 000002
【特許請求の範囲】
【請求項１】
バナナ端子を差し込む凹部、該凹部の開口端縁部の対称位置に形成された一対の切り込み部それぞれを有してなる胴体と、該胴体の下端部に他の配線用端子を端子台に固定するためのネジ部とを形成してなるバナナ端子用の端子固定具を端子台の接点用ネジ穴にねじ込ませるためのバナナ端子固定具用ドライバーであって、該ドライバーの軸部先端に、前記切り込み部に嵌挿されて端子固定具を捻回させるための矩形板状の突片部と、前記凹部に挿入されるよう突片部の中央に突設された滑り止め用の挿入ガイド部を備えていることを特徴とするバナナ端子固定具用ドライバー。
【請求項２】
滑り止め用の挿入ガイド部は、円柱状もしくは円筒状のいずれかの形状により形成されている請求項１に記載のバナナ端子固定具用ドライバー。
【請求項３】
軸部は、その外周全体を絶縁材により被覆している請求項１または２に記載のバナナ端子固定具用ドライバー。
【請求項４】
絶縁材は、熱収縮可能な絶縁性を有するプラスチックやビニールの薄膜である請求項３に記載のバナナ端子固定具用ドライバー。
【発明の詳細な説明】
【技術分野】
【０００１】
本発明は、例えば、原子力発電所や火力発電所等に設置されている制御盤に配設された端子台に、バナナ端子を電気接続した状態で固定する端子固定具を、当該端子台にねじ込んで装着する際に使用される、バナナ端子固定具用ドライバーに関するものである。
【背景技術】
【０００２】
従来において、原子力発電所や火力発電所等に設置されている制御盤における端子台を用いた各種の試験・検査等を行う際には、運転員等が、制御盤に配設された端子台において、飛び越し導通線を使用する所謂ジャンパー・リフトを実施して信号を模擬することで、各種の試験・検査等を行っているのが一般的である。
【０００３】
例えば、原子力発電所や火力発電所等に設置されている制御盤に配設されたケーブル用の端子台で、ケーブル及びビスの取り付けの実施を伴う、所謂ジャンパーを行うことにより、各種の試験・検査等を実施している。
【０００４】
この試験・検査においてジャンパー・リフトを行う場合、現状では、誤接触（短絡）防止のために、バナナ端子用の端子固定具を使用している。
【０００５】
この端子固定具は、胴体の上部中央部分がジャンパー線接続用のバナナ端子を差し込むための凹部となっており、該凹部の開口端縁部における左右対称位置には、マイナスドライバーを差し込むための切り込み部が形成されている。
【０００６】
このように端子固定具はマイナスネジタイプであるため、ケーブルをリフトする際には、マイナスドライバーを使用してこの端子固定具を端子台に取り付ける必要がある。
【特許文献１】特になし
【発明の開示】
【発明が解決しようとする課題】
【０００７】
しかしながら、従来においては、制御盤内の端子台で通常使用しているプラスネジの場合は、その形状により端子リフト時にプラスドライバーが近接端子に接触する可能性は極めて低いが、マイナスネジタイプのバナナ端子である場合は、端子台へのマイナスドライバーによる端子リフトの取り付けに際し、当該マイナスドライバーが横滑りして近接端子と接触（短絡）する危険性がある。特に、力をいれてバナナ端子を緩める場合に、このような横滑りによる危険性が生じ易い。
【０００８】
また、制御盤内の端子台は、バナナ端子が列状に隣接して配置されているため、前記した危険性が十分に予測されるのである。
【０００９】
従って、現状におけるバナナ端子のリフト作業に際しては、十分な注意を払いながら実施しているのであるが、端子リフト作業は定検時等において頻繁に行われる作業であることから、より確実な誤接触（短絡）防止対策を図る必要があるが、現状では未だにこのような対策がなされていないのが実状である。
【００１０】
そこで、本発明は如上のような従来存した諸事情に鑑み創出されたもので、制御盤における端子台でジャンパーを実施するために、バナナ端子用の端子固定具を端子台に取り付ける際に、マイナスドライバーが横滑りして近接端子と接触（短絡）するのを未然に防止できるようにした、バナナ端子固定具用ドライバーを提供することを目的とする。
【課題を解決するための手段】
【００１１】
本発明は、バナナ端子を差し込む凹部、該凹部の開口端縁部の対称位置に形成された一対の切り込み部それぞれを有してなる胴体と、該胴体の下端部に他の配線用端子を端子台に固定するためのネジ部とを形成してなるバナナ端子用の端子固定具を端子台の接点用ネジ穴にねじ込ませるためのバナナ端子固定具用ドライバーであって、該ドライバーの軸部先端に、前記切り込み部に嵌挿されて端子固定具を捻回させるための矩形板状の突片部と、前記凹部に挿入されるよう突片部の中央に突設された滑り止め用の挿入ガイド部を備えていることで、上述した課題を解決した。
【００１２】
また、滑り止め用の挿入ガイド部は、円柱状もしくは円筒状のいずれかの形状により形成されていることで、同じく上述した課題を解決した。
【００１３】
さらに、軸部は、その外周全体を絶縁材により被覆していることで、同じく上述した課題を解決した。
【００１４】
また、絶縁材は、熱収縮可能な絶縁性を有するプラスチックやビニールの薄膜であることで、同じく上述した課題を解決した。
【発明の効果】
【００１５】
本発明によれば、制御盤における端子台でジャンパーを実施するために、バナナ端子用の端子固定具を端子台に取り付ける際に、マイナスドライバーが横滑りして近接端子と接触（短絡）するのを未然に防止することができる。
【００１６】
特に、原子力発電所や火力発電所等に設置されている制御盤に配設された端子台においては、端子台の両端が非常に狭い状態で存在するため、例えば、狭いスペースに作業員が腕を伸ばしてケーブルのジャンパーを実施しなければならないような状態となってしまうのであるが、このようなときにおいても、バナナ端子用の端子固定具の取り付けに際し、滑り止め用の挿入ガイド部が端子固定具の胴体の凹部に挿入されるため、捻回時にマイナスドライバーの横滑りによる誤接触（短絡）を未然に防止できるのである。
【００１７】
また、滑り止め用の挿入ガイド部は、円柱状もしくは円筒状のいずれかの形状により形成されているので、マイナスドライバー自体を端子固定具の胴体にしっかりと保持させておくことができる。
【００１８】
さらに、軸部は、その外周全体を絶縁材により被覆しているので、マイナスドライバーの軸部が、端子台に取り付けられている他のバナナ端子接続用の端子固定具に接触したとしても、端子間の短絡等を阻止して、設備の災害の発生を未然に防止することができる。
【００１９】
また、原子力発電所や火力発電所等に設置されている制御盤に配設された端子台においては、端子台の間隔が非常に狭い状態で存在するため、狭い作業環境下でケーブルのジャンパーを実施する状態となり、マイナスドライバーの軸部が作業中に誤って他のバナナ端子に接触してしまう危険性が十分にある。
【００２０】
そして、このような過酷な状況下において、作業中に誤って他のバナナ端子にマイナスドライバーの軸部が接触したとしても、端子間の短絡等を阻止して、設備の災害の発生を未然に防止するため、軸部の外周全体を絶縁材により被覆したのである。
【００２１】
また、絶縁材は、熱収縮可能な絶縁性を有するプラスチックやビニール等の薄膜等であるので、マイナスドライバーの軸部に密着した状態で絶縁材を被覆させることができ、長時間が経過した場合であっても、絶縁材が軸部から脱落することがない。この他、絶縁材によるマイナスドライバーの軸部への被覆を、低コストで行うことができる。
【００２２】
しかも、バナナ端子自体はＳＵＳ製等によって形成されているため、従来では磁気付きドライバーを使用しても端子リフト時に端子固定具自体が制御盤内に落下されてしまう虞があったが、本発明による専用のマイナスドライバーの使用により端子固定具の落下を未然に防止することができる。
【発明を実施するための最良の形態】
【００２３】
以下に、本発明を実施するための最良の形態を、図面を参照して説明する。
【００２４】
端子台Ｐにおけるバナナ端子Ｖ接続用の端子固定具１は、図４乃至図６に示すように、飛び越し導通線Ｑとしての、例えば、ＳＵＳ製のバナナ端子Ｖを差し込むための凹部２ａを有する胴体２と、該胴体２の下端部に、端子台Ｐの既設の配線構成要素である、例えば、リング状等の他の配線用端子５を端子台Ｐに固定するためのネジ部３を取り付けて形成している。
【００２５】
すなわち、図４に示すように、バナナ端子Ｖ接続用の端子固定具１を構成する胴体２は、バナナ端子Ｖを差し込む凹部２ａを有する有底円筒状に形成されている。
【００２６】
また、この胴体２の外周全体を、例えば、熱収縮可能な絶縁性を有するプラスチックやビニール等の薄膜等を用いた絶縁材４が、シュリンクラッピング等の手法によって被覆してある。
【００２７】
そして、胴体２の下面には、ネジ部３を突出した状態に取り付けてあり、該ネジ部３を、前記リング状の他の配線用端子５に挿通した状態で、端子台Ｐの接点用ネジ穴Ｐ２にねじ込んで固定するものとしている。
【００２８】
そして、図６に示すように、端子台Ｐに固定された胴体２は、自身の凹部２ａにバナナ端子Ｖを差し込む際に、胴体２の周囲に存在する仕切板や、他の配線器具等が邪魔にならない程度の高さを備えている。また、図４に示すように、胴体２の凹部２ａの開口端縁部には、上端面部分２ｄを介して内側に向けて傾斜したテーパー部２ｂが形成されている。
【００２９】
さらに、胴体２の凹部２ａの開口端縁部には、その対称位置に、一対の切り込み部２ｃを設けることで、後述する専用のバナナ端子固定具用ドライバー１０を用いて、端子台Ｐにバナナ端子Ｖ接続用の端子固定具１や、リング状の他の配線用端子５を固定できるようにしている。
【００３０】
このように、胴体２の凹部２ａの開口端縁部に、内側に向けて傾斜したテーパー部２ｂと、一対の切り込み部２ｃを設けることで、胴体２の凹部２ａにバナナ端子Ｖを容易に挿入できるようにしている。
【００３１】
このバナナ端子Ｖ接続用の端子固定具１を端子台Ｐに取り付ける場合には、図１（ａ）に示すように、本発明に係るバナナ端子固定具用ドライバー１０が使用される。
【００３２】
すなわち、このバナナ端子固定具用ドライバー１０は、図１（ｂ）に示すように、柄１１の一端から突設した円柱ロッド状の軸部１２の先端に矩形片状の突片部１３が突設されると共に、該突片部１３の中央には、前記胴体２の凹部２ａに挿入される円柱状もしくは円筒状を呈する滑り止め用の挿入ガイド部１４が突設されている。
【００３３】
この突片部１３は、胴体２の凹部２ａの開口端縁部に形成されている一対の切り込み部２ｃに嵌合できる程度の横幅員を有している。
【００３４】
また、滑り止め用の挿入ガイド部１４は、胴体２の凹部２ａ内にスムーズに挿入されるように、その外径を当該凹部２ａの内径と略同じかもしくはその内径よりも若干小さめに形成されている。
【００３５】
さらに、バナナ端子固定具用ドライバー１０を構成する軸部１２の外周を、絶縁材４により被覆している。
【００３６】
この絶縁材４は、例えば、熱収縮可能な絶縁性を有するプラスチックやビニール等の薄膜等を用い、シュリンクラッピング等の手法により、軸部１２の外周を被覆するものである。
【００３７】
尚、滑り止め用の挿入ガイド部１４は、円柱状もしくは円筒状を呈する替わりに、角形状もしくは球形状等に形成されていても良く、いずれにしてもバナナ端子固定具用ドライバー１０による端子固定具１の捻回時に際し、当該バナナ端子固定具用ドライバー１０自体が端子固定具１に保持されていれば足りるものである。
【００３８】
次に、バナナ端子固定具用ドライバー１０の使用による、端子固定具１の取り付けの一例について説明する。
【００３９】
図２に示すように、予め端子台Ｐの接点用ネジ穴Ｐ２に他の配線用端子５を合致させておき、端子固定具１の胴体２のネジ部３を端子台Ｐの接点用ネジ穴Ｐ２に、バナナ端子固定具用ドライバー１０を使ってねじ込む。
【００４０】
このとき、図３に示すように、滑り止め用の挿入ガイド部１４が最初に胴体２の凹部２ａ内に挿入され、次いで、突片部１３が胴体２の凹部２ａの開口端縁部に形成されている一対の切り込み部２ｃに嵌合される。
【００４１】
そして、柄１１を介してバナナ端子固定具用ドライバー１０を捻回して胴体２のネジ部３を端子台Ｐの接点用ネジ穴Ｐ２にねじ込むのであるが、滑り止め用の挿入ガイド部１４が胴体２の凹部２ａ内に挿入されているため、バナナ端子固定具用ドライバー１０自体は端子固定具１に安定に保持された状態となっている。そのため、バナナ端子固定具用ドライバー１０の横滑りによる誤接触（短絡）が防止されるのである。
【００４２】
こうして端子固定具１は他の配線用端子５と共に端子台Ｐに固定される。そして、飛び越し導通線Ｑのバナナ端子Ｖの差し込み先端部分を、胴体２の凹部２ａ内に差し込み、ジャンパーによる試験・検査が行われる。
【００４３】
このとき、バナナ端子固定具用ドライバー１０の軸部１２が絶縁材４により被覆されていると同時に、飛び越し導通線Ｑのバナナ端子Ｖの差し込み先端部分を除くツマミ部分とリード線Ｒ部分がビニール等で絶縁状態に被覆されているため、特定の端子固定具１の胴体２の凹部２ａにバナナ端子Ｖを差し込む前に、端子台Ｐにおける他の端子固定具１の胴体２や飛び越し導通線Ｑにバナナ端子固定具用ドライバー１０の軸部１２が誤って接触しても、導通が阻止されるのである。
【００４４】
尚、絶縁材４は、シュリンクラッピングの手法により軸部１２を被覆することに限定されるものではない。
【００４５】
例えば、一側面が貼着面となっている絶縁テープで軸部１２を巻き込むようにして貼着させたり、あるいは軸部１２をプラスチックにドブ漬けして絶縁材４を被覆したりする等であっても差し支えない。
【産業上の利用可能性】
【００４６】
本発明に係るバナナ端子固定具用ドライバーは、原子力発電所や火力発電所等の中央制御室に設置されている制御盤に配設された端子台の端子固定具の取り付け用として使用される他に、バナナ端子を電気接続した状態で固定するための種々の端子固定具に、幅広く利用することができる。
【図面の簡単な説明】
【００４７】
【図１】本発明に係るバナナ端子固定具用ドライバーの構成を示し、（ａ）は全体斜視図、（ｂ）は先端部分の拡大斜視図である。
【図２】バナナ端子固定具用ドライバーの使用例を示す分解斜視図である。
【図３】バナナ端子固定具用ドライバーの使用状態を示す拡大斜視図である。
【図４】端子固定具を構成する胴体の外周全体を、絶縁材により被覆する状態を示す分解斜視図である。
【図５】端子固定具を構成する胴体の外周全体を、絶縁材により被覆した状態を示す断面図である。
【図６】端子台に取り付けている両端子固定具に、飛び越し導通線のバナナ端子を挿入する状態を示す分解斜視図である。
【符号の説明】
【００４８】
Ｐ…端子台
Ｐ２…接点用ネジ穴
Ｑ…飛び越し導通線
Ｒ…リード線
Ｖ…バナナ端子
１…端子固定具
２…胴体
２ａ…凹部
２ｂ…テーパー部
２ｃ…切り込み部
２ｄ…上端面部分
３…ネジ部
４…絶縁材
１０…バナナ端子固定具用ドライバー
１１…柄
１２…軸部
１３…突片部
１４…滑り止め用の挿入ガイド部
【図１】
2008300186.tif 000003
【図２】
2008300186.tif 000004
【図３】
2008300186.tif 000005
【図４】
2008300186.tif 000006
【図５】
2008300186.tif 000007
【図６】
2008300186.tif 000008